(57)【要約】【課題】運用負荷が低く、ユーザの参加が容易な電子決済利用キャンペーンシステム等を提供する。【解決手段】ユーザは、電子マネー機能を搭載した携帯電話１９あるいはユーザ端末２３からキャンペーンサーバ５にアクセスし、キャンペーンへの参加を登録した後、携帯電話１９あるいは電子マネーカード２１を用いて電子決済搭載自動販売機１７で対象となる商品を購入する。電子決済搭載自動販売機１７に記録された売上情報は、定期的に自販機管理サーバ３に送る。キャンペーンサーバ５は、キャンペーンに登録したユーザの電子マネーカード番号と、自販機管理サーバ３の売上情報ＤＢ７に保持される売上情報の電子マネーカード番号のマッチングを行い、一致した電子マネーカード番号に対応するユーザのポイントを加算する。【選択図】図１
2008262313.tif 000002
【特許請求の範囲】
【請求項１】
自動販売機と、第１のサーバと、第２のサーバがネットワークを介して接続された電子決済利用キャンペーンシステムで、
前記自動販売機は、
購入者が電子マネーで購入した場合、購入者の電子マネーカード番号、購入商品コード等からなる売上情報を取得する手段と、
前記第１のサーバに前記売上情報を送る手段と、
を有し、
前記第１のサーバは、
前記自動販売機から送られてくる前記売上情報を保持する手段と、
を有し、
前記第２のサーバは、
電子マネーカード所有者の電子マネーカード番号、参加キャンペーンコード、ポイントからなる電子マネー所有者情報と、キャンペーンコード、対象商品コード、応募条件等からなるキャンペーン情報を保持する手段と、
前記第１のサーバに保持される前記売上情報と、前記電子マネー所有者情報と、前記キャンペーン情報を比較しマッチングする手段と、
購入者の前記電子マネーカード番号と、第２のサーバに保持される前記電子マネー所有者情報の前記電子マネーカード番号が一致し、電子マネー所有者の前記参加キャンペーンコードと、前記キャンペーン情報の前記キャンペーンコードが一致し、前記売上情報の前記商品コードと、前記キャンペーン情報の前記対象商品コードが一致し、電子マネー所有者の前記購買日時が前記キャンペーン情報のキャンペーン開始日からキャンペーン終了日の期間内にある場合、電子マネー所有者のポイントを更新する手段と、
を有することを特徴とする電子決済利用キャンペーンシステム。
【請求項２】
前記第２のサーバは、
前記電子マネーカード所有者の端末装置がネットワークに接続され、前記端末装置から前記第２のサーバにアクセスがあると、
前記電子マネーカード所有者の前記ポイントを表示する手段と、
前記ポイントが前記キャンペーン情報の前記応募条件に達すると、次段階のサービスを提示する手段と、
を具備することを特徴とする請求項１記載の電子決済利用キャンペーンシステム。
【請求項３】
自動販売機と、第１のサーバと、ネットワークを介して接続された電子決済利用キャンペーンシステムで、
電子マネーカード所有者の電子マネーカード番号、参加キャンペーンコード、ポイントからなる電子マネー所有者情報と、キャンペーンコード、対象商品コード、応募条件等からなるキャンペーン情報を保持する手段と、
前記第１のサーバに保持される売上情報と、前記電子マネー所有者情報と、前記キャンペーン情報を比較しマッチングする手段と、
購入者の電子マネーカード番号と、前記電子マネー所有者情報の前記電子マネーカード番号が一致し、電子マネー所有者の前記参加キャンペーンコードと、前記キャンペーン情報の前記キャンペーンコードが一致し、前記売上情報の商品コードと、前記キャンペーン情報の前記対象商品コードが一致し、電子マネー所有者の前記購買日時が前記キャンペーン情報のキャンペーン開始日からキャンペーン終了日の期間内にある場合、電子マネー所有者のポイントを更新する手段と、
を有することを特徴とするサーバ。
【請求項４】
前記電子マネーカード所有者の端末装置がネットワークに接続され、前記端末装置からアクセスがあると、
前記電子マネーカード所有者の前記ポイントを表示する手段と、
前記ポイントが前記キャンペーン情報の前記応募条件に達すると、次段階のサービスを提示する手段と、
を具備することを特徴とする請求項３記載のサーバ。
【請求項５】
コンピュータを請求項３記載のサーバとして機能させるプログラム。
【発明の詳細な説明】
【技術分野】
【０００１】
本発明は、運用負荷が低く、ユーザの参加が容易な電子決済利用キャンペーンシステム等に関する。
【背景技術】
【０００２】
従来、販売数量促進のため、飲料メーカー等が実施するキャンペーンでは、飲料メーカーが缶飲料あるいはペットボトル飲料等の商品に応募用二重シールを貼付し、ユーザが応募用二重シールに印刷されているシリアル番号をパーソナルコンピュータ、あるいは携帯電話からキャンペーンサイトにアクセスしてその都度入力して、その場で当落チェックを行ったり、ポイントを貯めて応募したりするという方法がある。あるいは、応募シールをハガキ等の台紙に貼って郵送することにより、キャンペーンに応募をするという方法がある。
【０００３】
缶飲料あるいはペットボトル飲料等の商品への応募シールは、キャンペーン期間中に自動販売機等で購入する商品に貼付されている必要がある。そのため、自動販売機は商品購入時が応募シール貼付期間であるかどうか判定し、貼付期間ならば商品搬出路上を転がる商品に応募シールを貼るという方法がある。（特許文献１参照）
【０００４】
【特許文献１】特開２００７−１１６２３号公報
【発明の開示】
【発明が解決しようとする課題】
【０００５】
しかしながら、上記の方法では、応募シールのシリアル番号発行、応募シール印字等、準備期間と実施費用がかかる。
また、ユーザは商品購入毎にパーソナルコンピュータ、携帯電話等を用いてシリアル番号を入力する必要があり、手間がかかり、また、シリアル番号を誤入力してしまう可能性もある。
さらに、シリアル番号偽造等による不正応募が行われる可能性もある。
【０００６】
本発明は、このような問題に鑑みてなされたもので、その目的とするところは、運用負荷が低く、ユーザの参加が容易な電子決済利用キャンペーンシステム等を提供することにある。
【課題を解決するための手段】
【０００７】
前述した目的を達成するために第１の発明は、自動販売機と、第１のサーバと、第２のサーバがネットワークを介して接続された電子決済利用キャンペーンシステムで、前記自動販売機は、購入者が電子マネーで購入した場合、購入者の電子マネーカード番号、購入商品コード等からなる売上情報を取得する手段と、前記第１のサーバに前記売上情報を送る手段と、を有し、前記第１のサーバは、前記自動販売機から送られてくる前記売上情報を保持する手段と、を有し、前記第２のサーバは、電子マネーカード所有者の電子マネーカード番号、参加キャンペーンコード、ポイントからなる電子マネー所有者情報と、キャンペーンコード、対象商品コード、応募条件等からなるキャンペーン情報を保持する手段と、前記第１のサーバに保持される前記売上情報と、前記電子マネー所有者情報と、前記キャンペーン情報を比較しマッチングする手段と、購入者の前記電子マネーカード番号と、第２のサーバに保持される前記電子マネー所有者情報の前記電子マネーカード番号が一致し、電子マネー所有者の前記参加キャンペーンコードと、前記キャンペーン情報の前記キャンペーンコードが一致し、前記売上情報の前記商品コードと、前記キャンペーン情報の前記対象商品コードが一致し、電子マネー所有者の前記購買日時が前記キャンペーン情報のキャンペーン開始日からキャンペーン終了日の期間内にある場合、電子マネー所有者のポイントを更新する手段と、を有することを特徴とする電子決済利用キャンペーンシステムである。
【０００８】
前記第２のサーバは、前記電子マネーカード所有者の端末装置がネットワークに接続され、前記端末装置から前記第２のサーバにアクセスがあると、前記電子マネーカード所有者の前記ポイントを表示する手段と、前記ポイントが前記キャンペーン情報の前記応募条件に達すると、次段階のサービスを提示する手段と、を具備する。
【０００９】
第２の発明は、自動販売機と、第１のサーバと、ネットワークを介して接続された電子決済利用キャンペーンシステムで、電子マネーカード所有者の電子マネーカード番号、参加キャンペーンコード、ポイントからなる電子マネー所有者情報と、キャンペーンコード、対象商品コード、応募条件等からなるキャンペーン情報を保持する手段と、前記第１のサーバに保持される売上情報と、前記電子マネー所有者情報と、前記キャンペーン情報を比較しマッチングする手段と、購入者の電子マネーカード番号と、前記電子マネー所有者情報の前記電子マネーカード番号が一致し、電子マネー所有者の前記参加キャンペーンコードと、前記キャンペーン情報の前記キャンペーンコードが一致し、前記売上情報の商品コードと、前記キャンペーン情報の前記対象商品コードが一致し、電子マネー所有者の前記購買日時が前記キャンペーン情報のキャンペーン開始日からキャンペーン終了日の期間内にある場合、電子マネー所有者のポイントを更新する手段と、を有することを特徴とするサーバである。
【００１０】
第３の発明は、コンピュータを第２の発明のサーバとして機能させるプログラムである。
【発明の効果】
【００１１】
本発明によれば、運用負荷が低く、ユーザの参加が容易な電子決済利用キャンペーンシステムシステム等を提供することができる。
【発明を実施するための最良の形態】
【００１２】
以下、添付図面を参照しながら、本発明に係る電子決済利用キャンペーンシステムの好適な実施形態について詳細に説明する。
【００１３】
最初に、図１を参照しながら、本実施の形態に係る電子決済利用キャンペーンシステム１について説明する。
図１は、電子決済利用キャンペーンシステム１の概要を示す図である。
【００１４】
電子決済利用キャンペーンシステム１は、自販機管理サーバ３、キャンペーンサーバ５、キャンペーン管理端末１３、電子決済搭載自動販売機１７、携帯電話１９、ユーザ端末２３がネットワーク２５を介して接続している。自販機管理サーバ３は売上情報ＤＢ（データベース）７を、キャンペーンサーバ５は会員ＤＢ９、ポイントＤＢ１１、キャンペーンＤＢ１３を有する。
電子決済搭載自動販売機１７は、缶飲料、ペットボトル飲料等の商品を販売する自動販売機で、電子マネー機能を搭載した携帯電話１９あるいは電子マネーカード２１を用いた商品購入の電子決済を行う。電子決済搭載自動販売機１７は、街中、休憩所等、様々な場所に設置される。
電子決済搭載自動販売機１７は、映画等のチケット、交通機関の切符、あるいは他の商品を販売する自動販売機でもよい。
【００１５】
自販機管理サーバ３、キャンペーンサーバ５は、電子決済及びキャンペーンの実施を管理する管理会社等に設置される。自販機管理サーバ３は、電子決済搭載自動販売機１７の売上データの管理、様々な場所に設置される電子決済搭載自動販売機１７のステータスの管理等を行う。自販機管理サーバ３は、電子決済利用キャンペーンシステム内に複数台設置することが可能である。
キャンペーンサーバ１５は、電子決済搭載自動販売機１７における商品の売り上げ情報と連動させたキャンペーンを管理するサーバで、キャンペーンの応募者の管理、商品の売上情報管理、キャンペーンの応募条件管理等を行う。
【００１６】
キャンペーン管理端末１５は、缶飲料、ペットボトル飲料等を製造するメーカーに設置される端末装置である。メーカーでは、キャンペーン管理端末１５からネットワーク２５を介してキャンペーンサーバ５にアクセスし、キャンペーンの応募条件の設定、キャンペーンの実施状況の確認、キャンペーンのデータ集計及び抽出、キャンペーン当選者への商品の発送等の作業を行う。
【００１７】
ユーザがキャンペーンに参加する場合、事前に一度だけ、携帯電話１９あるいは自宅等に設置されているユーザ端末２３からネットワーク２５を介してキャンペーンサーバ５にアクセスし、電子マネーカード番号、パスワードを登録し、キャンペーンへのエントリを行う。
【００１８】
携帯電話１９あるいは電子マネーカード２１を用いて電子決済搭載自動販売機１７で商品を購入すると、電子決済等自動販売機１７は売上情報を記録し、１日１回程度、ネットワーク２５を介して自販機管理サーバ３に売上情報を送信する。
キャンペーンサーバ５は、自販機管理サーバ３の売上情報の中から、登録された応募者と一致するデータを取り込み、応募者のポイントを更新する。このとき、自販機管理サーバ３の売上情報に含まれる購買日時、商品コードがキャンペーンの内容に合致しない場合、ポイントは更新されない。
ユーザは、携帯電話１９あるいはユーザ端末２３からキャンペーンサーバ５にアクセスすることにより、自身のポイントを確認したり、キャンペーンへの応募、ゲームなどをしたりできる。
【００１９】
次に、図２、３、４、５、６を参照しながら、自販機管理サーバ３について説明する。
図２は、自販機管理サーバ３のハードウエア構成を示す図、図３は、自販機管理サーバ３の記憶装置３２の詳細を示す図、図４は、記憶装置３２の売上情報データ４３の一例を示す図、図５は、記憶装置３２の自動販売機ログデータ４７の一例を示す図、図６は、売上情報ＤＢ７の詳細を示す図である。
【００２０】
図２に示すように、自販機管理サーバ３は、バス３８により相互接続された制御部３１、記憶装置３２、メディア入出力部３３、入力部３４、印刷部３５、表示部３６、通信部３７等を有する。
【００２１】
制御部３１は、プログラムの実行を行うＣＰＵ（Ｃｅｎｔｒａｌ  Ｐｒｏｃｅｓｓｉｎｇ  Ｕｎｉｔ）と、プログラム命令あるいはデータ等を格納するためのＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリから構成される。制御部３１は、自販機管理サーバ３全体の動作を制御する。
【００２２】
記憶装置３２は、自販機管理サーバ３の制御プログラム等の固定データ、各種データ等を格納するための記憶媒体である。
メディア入出力部３３は、ＣＤ−ＲＯＭ(Ｃｏｍｐａｃｔ  Ｄｉｓｃ  Ｒｅａｄ  Ｏｎｌｙ  Ｍｅｍｏｒｙ)あるいはＣＤ−ＲＷ（ＣＤ−ＲｅＷｒｉｔａｂｌｅ）、フレキシブルディスク、ＭＯ(Ｍａｇｎｅｔｏ  Ｏｐｔｉｃ  Ｄｉｓｃ)等の媒体のドライブで、媒体からのデータの読み出しや、媒体へのデータの書き込みを行う。
【００２３】
入力部３４は、キーボード、マウス等の入力装置である。
印刷部３５はプリンタで、ユーザからの要求により必要な情報等の印刷を行う。
表示部３６は、ＣＲＴ（Ｃａｔｈｏｄｅ−ｒａｙ  Ｔｕｂｅ）あるいはＬＣＤ（Ｌｉｑｕｉｄ  Ｃｒｙｓｔａｌ  Ｄｉｓｐｌａｙ）等の表示装置である。
通信部３７は、通信制御装置、通信ポート等であり、ネットワーク２５を介し通信を制御する。
【００２４】
図３に示すように、記憶装置３２は、ＯＳ（Ｏｐｅｒａｔｉｎｇ  Ｓｙｓｔｅｍ）４１、自動販売機管理プログラム４２、売上情報データ４３、自動販売機情報データ４４、自動販売機ログデータ４７等を有する。
ＯＳ４１は、自販機管理サーバ３全体を制御するプログラムである。
自動販売機管理プログラム４２は、様々な場所に設置される電子決済搭載自動販売機１７の売上情報、ステータス管理を行うプログラムである。
【００２５】
売上情報データ４３は、電子決済搭載自動販売機１７から１日に１回程度送られてくる売上情報で、図４に示すように、カード番号５１、自動販売機番号５２、カラム番号５３、購買日時５４等を有する。
カード番号５１は、電子決済搭載自動販売機１７で商品を購入した携帯電話１９に搭載された電子マネー、あるいは、電子マネーカード２１のカード識別番号である。
自動販売機番号５２は、各電子決済搭載自動販売機１７に一意的に付けられる自動販売機の識別番号である。
カラム番号５３は、ユーザが購入した商品が電子決済搭載自動販売機１７の中のどの列にあったかを示す番号である。
購買日時５４は、ユーザが電子決済搭載自動販売機１７で商品を購入した時間である。
【００２６】
自動販売機情報データ４４は、電子決済搭載自動販売機１７に関する情報で、図５に示すように、電子決済搭載自動販売機１７毎にカラム番号６１、商品コード６２、価格６３等を有し、電子決済搭載自動販売機１７それぞれ１台毎に管理される。
カラム番号６１は、電子決済搭載自動販売機１７の中の商品の列を表す。
商品コード６２は、電子決済搭載自動販売機１７の中の各商品の列に入っている商品の商品コードを、価格６３は、その商品の価格を表している。
自動販売機ログデータ４７は、各電子決済搭載自動販売機１７のステータス、通信ログ等である。
【００２７】
売上情報ＤＢ７は、電子決済搭載自動販売機１７から自販機管理サーバ３に送られる売上情報データ４３をもとに記録した売上情報データ７０を保持する。
売上情報データ７０は、カード番号５１、自動販売機番号５２、商品コード６２、購買日時５４等を有する。
カード番号５１、自動販売機番号５２、購買日時５４は、電子決済搭載自動販売機１７から受信した売上情報データ４３のカード番号５１、自動販売機番号５２、購買日時５４と同じである。
商品コード６２は、自動販売機情報データ４４を参照し、売上情報データ４３のカラム番号５３と一致したカラム番号６１の商品コード６２である。
【００２８】
次に、図７、８、９、１０、１１、１２、１３を参照しながら、キャンペーンサーバ５について説明する。
図７は、キャンペーンサーバ５のハードウエア構成を示す図、図８は、キャンペーンサーバ５の記憶装置８２の詳細を示す図、図９は、キャンペーンＤＢ１３の詳細を示す図、図１０は、会員ＤＢ９の詳細を示す図、図１１は、会員データ１１０の一例を示す図、図１２は、当選者データ１２０の一例を示す図、図１３は、ポイントＤＢ１１の詳細を示す図である。
【００２９】
図７に示すように、キャンペーンサーバ５は、バス８８により相互接続された制御部８１、記憶装置８２、メディア入出力部８３、入力部８４、印刷部８５、表示部８６、通信部８７等を有する。
【００３０】
制御部８１は、プログラムの実行を行うＣＰＵと、プログラム命令あるいはデータ等を格納するためのＲＯＭ、ＲＡＭ等のメモリから構成される。制御部８１は、キャンペーンサーバ５全体の動作を制御する。
【００３１】
記憶装置８２は、キャンペーンサーバ５の制御プログラム等の固定データ、各種データ等を格納するための記憶媒体である。
メディア入出力部８３は、ＣＤ−ＲＯＭあるいはＣＤ−ＲＷ、フレキシブルディスク、ＭＯ等の媒体のドライブで、媒体からのデータの読み出しや、媒体へのデータの書き込みを行う。
【００３２】
入力部８４は、キーボード、マウス等の入力装置である。
印刷部８５はプリンタで、ユーザからの要求により必要な情報等の印刷を行う。
表示部８６は、ＣＲＴあるいはＬＣＤ等の表示装置である。
通信部８７は、通信制御装置、通信ポート等であり、ネットワーク２５を介し通信を制御する。
【００３３】
図８に示すように、記憶装置８２は、ＯＳ９０、キャンペーン管理プログラム９１、コンテンツデータ９２等を有する。
ＯＳ９０は、キャンペーンサーバ５全体を制御するプログラムである。
キャンペーン管理プログラム９１は、メーカーが実施するキャンペーンの応募者管理、売上情報管理、応募条件管理等を行うプログラムである。
コンテンツデータ９２は、ユーザが携帯電話１９あるいはユーザ端末２３からキャンペーンへの登録、ポイントの確認等を行うときの画面、ゲーム等のコンテンツである。
【００３４】
キャンペーンサーバ５のキャンペーンＤＢ１３は、実施するキャンペーンに関する情報を保持する。図９に示すように、キャンペーンＤＢ１３のキャンペーン情報データ１００は、キャンペーンコード１００、キャンペーン名称１０２、キャンペーン開始日１０３、キャンペーン終了日１０４、対象自動販売機番号１０５、対象商品コード１０６、応募条件１０７等を有する。
【００３５】
キャンペーンコード１０１は、キャンペーンを識別する一意的なコードである。
キャンペーンコード１０２は、キャンペーンの名称である。
キャンペーン開始日１０３は、キャンペーンを開始する日付、キャンペーン終了日１０４は、キャンペーンを終了する日付である。
対象自動販売機番号１０５は、商品の購入がキャンペーンの対象となる電子決済自動販売機１７の自動販売機番号である。
対象商品コード１０６は、キャンペーンの対象となる商品の商品コードである。
応募条件１０７は、キャンペーンに応募するための条件で、例えば、対象商品を「５本」購入、「１０ポイント」ためた場合、というように設定する。
キャンペーン情報データ１００は、キャンペーン管理端末１５からネットワーク２５を介して設定する。
【００３６】
キャンペーンサーバ５の会員ＤＢ９は、キャンペーンに登録したユーザに関する情報を保持するもので、図１０に示すように会員データ１１０、当選者データ１２０等を有する。
会員データ１１０は、キャンペーンに登録したユーザに関する情報で、カード番号５１、メールアドレス１１１、パスワード１１２、生年月日１１３、性別１１１４、キャンペーンコード１０１等を有する。
カード番号５１は、電子決済搭載自動販売機１７で商品を購入した携帯電話１９に搭載された電子マネー、あるいは、電子マネーカード２１のカード識別番号である。
メールアドレス１１１はユーザの電子メールのアドレスで、携帯電話１９、ユーザ端末２３等のメールアドレスである。
パスワード１１２は、ユーザがキャンペーンへの登録時に入力したパスワードで、ポイントの確認、キャンペーンへの応募時に認証のため使用する。
生年月日１１３、性別１１４は、キャンペーンに登録したユーザの属性情報である。その他に、住所や電話番号、趣味嗜好等の属性情報を保持するようにしてもよい。
キャンペーンコード１０１は、ユーザが登録したキャンペーンの識別番号である。
【００３７】
当選者データ１２０は、キャンペーンに応募してゲーム等で当選したユーザに関する情報で、カード番号５１、キャンペーンコード１０１、氏名１２１、郵便番号１２２、住所１２３、電話番号１２４等を有する。
カード番号５１は、会員データ１１０のカード番号５１と同じである。
キャンペーンコード１０１は、ユーザが当選したキャンペーンの識別番号である。
氏名１２１、郵便番号１２２、住所１２３、電話番号１２４は、当選したユーザの属性情報で、当選したとき、ユーザが入力する。
キャンペーンを実施しているメーカーは、キャンペーン管理端末１５からキャンペーンサーバ５にアクセスし、当選者データ１２０を参照して、当選者への景品の発送等を行う。
【００３８】
キャンペーンサーバ５のポイントＤＢ１１は、キャンペーンに登録しているユーザの獲得ポイントに関する情報を保持するもので、ポイント情報データ１３０を有する。
ポイント情報データ１３０は、携帯電話１９に搭載された電子マネー、あるいは、電子マネーカード２１のカード識別番号であるカード番号５１と、ユーザが獲得したポイント数１３１、ユーザが応募したキャンペーンのキャンペーンコード１０１等を有する。
【００３９】
次に、図１４を参照しながら、キャンペーン管理端末１５について説明する。
図１４は、キャンペーンサーバ１５のハードウエア構成を示す図である。
キャンペーンサーバ１５は、キャンペーンを実施するメーカー等に設置されるデスクトップコンピュータ、ノートブックコンピュータのようなコンピュータで、図１４に示すように、バス１４８により相互接続された制御部１４１、記憶装置１４２、メディア入出力部１４３、入力部１４４、印刷部１４５、表示部１４６、通信部１４７等を有する。
【００４０】
制御部１４１は、プログラムの実行を行うＣＰＵと、プログラム命令あるいはデータ等を格納するためのＲＯＭ、ＲＡＭ等のメモリから構成される。制御部１４１は、キャンペーン管理端末１５全体の動作を制御する。
記憶装置１４２は、キャンペーン管理端末１５の制御プログラム等の固定データ、各種データ等を格納するための記憶媒体である。
メディア入出力部１４３は、ＣＤ−ＲＯＭあるいはＣＤ−ＲＷ、フレキシブルディスク、ＭＯ等の媒体のドライブで、媒体からのデータの読み出しや、媒体へのデータの書き込みを行う。
入力部１４４は、キーボード、マウス等の入力装置である。
印刷部１４５はプリンタで、ユーザからの要求により必要な情報等の印刷を行う。
表示部１４６は、ＣＲＴあるいはＬＣＤ等の表示装置である。
通信部１４７は、通信制御装置、通信ポート等であり、ネットワーク２５を介し通信を制御する。
【００４１】
次に、図１５、１６を参照しながら、電子決済搭載自動販売機１７について説明する。
図１５は、電子決済搭載自動販売機１７のハードウエア構成を示す図、図１６は、電子決済搭載自動販売機１７の記憶装置１５４の詳細を示す図である。
【００４２】
図１５に示すように、電子決済搭載自動販売機１７は、バス１５５により相互接続された制御部１５１、リーダライタ１５２、通信部１５３、記憶装置１５４等を有する。
制御部１５１は、プログラムの実行を行うＣＰＵと、プログラム命令あるいはデータ等を格納するためのＲＯＭ、ＲＡＭ等のメモリから構成される。制御部１５１は、電子決済搭載自動販売機１７全体の動作を制御する。
リーダライタ１５２は、電子マネー機能を搭載した携帯電話１９、電子マネーカード２１と通信し、ユーザが購入した商品に関する電子決済に必要となる処理を行う。
通信部１５３は、ＰＨＳ（Ｐｅｒｓｏｎａｌ  Ｈａｎｄｙ−ｐｈｏｎｅＳｙｓｔｅｍ）あるいは携帯電話等の通信装置で、自販機管理サーバ３に売上情報を送信する。
【００４３】
記憶装置１５４は、電子決済搭載自動販売機１７の制御プログラム等の固定データ、各種データ等を格納するための記憶媒体で、図１６に示すように、売上情報データ４３、自動販売機情報データ４４等を有する。
売上情報データ４３は、自販機管理サーバ３の記憶装置３２内の売上情報データ４３と同じで、カード番号５１、自動販売機番号５２、カラム番号５３、購買日時５４を有する。電子決済搭載自動販売機１７は、ユーザが商品を購入する毎に売上情報データ４３を記録し、１日１回程度、通信部１５３により自販機管理サーバ３に売上情報データ４３を送る。
自動販売機情報データ４４は、自販機管理サーバ３の記憶装置３２内の自動販売機情報データ４４と同じである。
【００４４】
次に、図１７、１８、１９を参照しながら、携帯電話１９及び電子マネーカード２１について説明する。
図１７は、携帯電話１９のハードウエア構成を示す図、図１８は、携帯電話１９のＩＣチップ１７０のハードウエア構成を示す図、図１９は、電子マネーカード２１のハードウエア構成を示す図である。
【００４５】
図１７に示すように、携帯電話１９は、制御部１６１、無線通信部１６２、表示部１６３、入力部１６４、通話処理部１６５、メモリ１６６、ＩＣチップＩ／Ｆ１６７等がバス１６８を介して接続される。
【００４６】
制御部１６１は、プログラムの実行を行うＣＰＵと、ＯＳ、プログラム命令あるいはデータ等を格納するためのＲＯＭ、一時的な作業用データを格納するためのＲＡＭ等のメモリから構成される。制御部１６１は、携帯電話１９全体を制御する。
無線通信部１６２は、基地局（図示しない）との間で行われる無線通信を制御する。無線通信部１６２は、制御部１６１の制御の下、音声に関するデータやパケット通信用のデータ等の信号を生成し、基地局に送信したり、あるいは、基地局から送信される無線信号を受信し、受信した信号を復調して音声に関するデータやパケット通信用のデータを取得する。
【００４７】
表示部１６３は液晶表示パネル等を有し、表示制御を行う。
入力部１６４は、数字や文字、操作指示を入力するためのキーボタン等を有し、キーボタンの操作に応じた信号を制御部１６１に出力する。
通話処理部１６５は、マイクロフォンやスピーカ、音声処理部等を有し、制御部１６１の制御により呼接続、切断処理を含む通話処理を行う。
メモリ１６６は、携帯電話１９にインストールされているアプリケーションプログラムや、電話番号及びメールアドレス等のアドレス帳データ等が格納されている。
ＩＣチップＩ／Ｆ１６７は、ＩＣチップ１７０とモジュール端子を介して接続しており、制御部１６１とＩＣチップ１７０間のシリアル通信を制御する。
【００４８】
ＩＣチップ１７０は、ＦｅｌｉＣａ（登録商標）ＩＣチップ、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カード等のＩＣチップで、内部に携帯電話１９のユーザの電話番号、契約している携帯電話事業者等の情報を記録している。ＩＣチップ１７０を搭載した携帯電話１９を、電子決済搭載自動販売機１７のリーダライタ１５２にかざすことにより、データのやり取りを行う。
図１８に示すように、ＩＣチップ１７０は、ＣＰＵ１７１、ＲＯＭ１７２、ＲＡＭ１７３、メモリ１７４、通信部１７５がバス１７６を介して接続される。
【００４９】
ＣＰＵ１７１は、プログラムの実行を行う。ＲＯＭ１７２は、プログラム命令あるいはデータ等を格納する。ＲＡＭ１７３は、プログラムの実行中、一時的にデータ等を格納する。
メモリ１７４は、ＩＣチップ１７０の動作に必要となるデータ等を保存している。
通信部１７５は、携帯電話１９、あるいは、電子決済搭載自動販売機１７のリーダライタ１５２との通信を行う。
【００５０】
電子マネーカード２１は、電子決済搭載自動販売機１７のリーダライタ１５２にかざすことにより、データのやり取りを行う。
図１９に示すように、電子マネーカード２１は、ＣＰＵ１８１、ＲＯＭ１８２、ＲＡＭ１８３、メモリ１８４、通信部１８５がバス１８６を介して接続される。
【００５１】
ＣＰＵ１８１は、プログラムの実行を行う。ＲＯＭ１８２は、プログラム命令あるいはデータ等を格納する。ＲＡＭ１８３は、プログラムの実行中、一時的にデータ等を格納する。
メモリ１８４は、電子マネーカード２１の動作に必要となるデータ等を保存している。
通信部１８５は、電子決済搭載自動販売機１７のリーダライタ１５２との通信を行う。
【００５２】
次に、図２０、２１、２２、２３、２４、２５、２６、２７、２８、２９を参照しながら、電子決済利用キャンペーンシステム１の実施形態の動作について説明する。
図２０は、メーカーがキャンペーンの応募条件を設定する処理の流れを示すフローチャート、図２１は、ユーザがキャンペーンに登録するときの処理の流れを示すフローチャート、図２２は、キャンペーン登録画面の一例を示す図、図２３は、ユーザがキャンペーンに応募するときの処理の流れを示すフローチャート、図２４は、キャンペーンログイン画面の一例を示す図、図２５は、ポイント確認画面の一例を示す図、図２６は、ポイント達成通知画面の一例を示す図、図２７は、ゲームコンテンツ画面の一例を示す図、図２８は、当たり画面の一例を示す図、図２９は、発送先入力画面の一例を示す図である。
【００５３】
メーカーがキャンペーンを実施する場合、メーカー内に設置されているキャンペーン管理端末１５を用いて、ネットワーク２５を介してキャンペーンサーバ５にアクセスし、キャンペーンの応募条件を設定する。応募条件設定では、キャンペーン情報データ１００として、キャンペーンコード１０１、キャンペーン名称、キャンペーン開始日１０３、キャンペーン終了日１０４、対象自動販売機番号１０５、対象商品番号１０６、応募条件１０７等を入力する。
キャンペーン管理端末１５の制御部１４１は、ネットワーク２５を介して、入力されたキャンペーン情報データ１００をキャンペーンサーバ５に送る（ステップ２０１）。
キャンペーンサーバ５は、キャンペーン管理端末１５からのキャンペーン情報データ１００を受信し、キャンペーンＤＢ１３にキャンペーン情報データ１００を登録する（ステップ２０２）。
【００５４】
キャンペーンに参加しようとするユーザは、まず、キャンペーンへの登録を行う。
図２１に示すように、ユーザは、携帯電話１９あるいはユーザ端末２３からネットワーク２５を介してキャンペーンサーバ５にアクセスし、図２２に示すキャンペーン登録画面を表示する。
ユーザ登録画面２２０は、カード番号入力フィールド２２１、メールアドレス入力フィールド２２２、パスワード入力フィールド２２３、再パスワード入力フィールド２２４、送信ボタン２２５等を有する。ユーザが携帯電話１９に搭載している電子マネーのカード番号あるいは電子マネーカード２１のカード番号、メールアドレス、パスワード、確認のための再パスワードを入力すると、携帯電話１９あるいはユーザ端末２３は、ネットワーク２５を介してキャンペーンサーバ５にカード番号、メールアドレス、パスワード、再パスワードを送る（ステップ２１１）。
キャンペーン登録画面２２０において、ユーザの生年月日、性別等の属性も入力できるようにし、キャンペーンサーバ５に送ってもよい。
【００５５】
キャンペーンサーバ５は、受信したカード番号、メールアドレス、パスワード、その他の属性等と、ユーザが登録したキャンペーンコードを用いて会員データ１１０を生成し、会員ＤＢ９に登録する（ステップ２１２）。
【００５６】
キャンペーン登録後、ユーザは携帯電話１９、あるいは電子マネーカード２１を用いて、キャンペーンの対象となる電子決済搭載自動販売機１７で対象となる商品を電子決済により購入する。ユーザが購入した履歴となる売上情報データ４３は、１日数回程度、電子決済搭載自動販売機１７から自販機管理サーバ３に送られる。
キャンペーンサーバ５は、バッチ処理で自販機管理サーバ３の売上情報ＤＢ７の売上情報データ４３内のカード番号５１と、会員ＤＢ９の会員データ１１０内のカード番号５１のマッチングを行い、一致したカード番号５１を持つ会員のポイント情報データ１３０のキャンペーンコード１０１と一致するキャンペーンコード１０１を持つキャンペーン情報データ１００がキャンペーンＤＢ１３にあるか検索する。一致するキャンペーンコード１０１がある場合、ユーザの売上情報データ７０を取得し、自動販売機番号５２、商品コード６２がキャンペーン情報データ１００の対象自動販売機番号１０５、対象商品コード１０６と一致し、売り上げ情報データ７０の購買日時５４がキャンペーン情報データ１００のキャンペーン開始日１０３からキャンペーン終了日１０４の期間内にあるかを判定する。一致する場合、ポイント情報データ１３０のポイント数１３１を加算する。
【００５７】
ユーザがキャンペーンに応募する場合、図２３に示すように、ユーザは携帯電話１９あるいはユーザ端末２３からキャンペーンサーバ５にアクセスし、図２４に示すキャンペーンログイン画面２４０を表示する。
キャンペーンログイン画面２４０は、携帯電話１９の電子マネーのカード番号あるいは電子マネーカード２１のカード番号を入力するカード番号入力フィールド２４１、パスワードを入力するパスワード入力フィールド２４２を有する。
ユーザがカード番号とパスワードを入力すると、携帯電話１９あるいはユーザ端末２３は、ネットワーク２５を介して、入力されたカード番号とパスワードをキャンペーンサーバ５に送る（ステップ２３０）。
【００５８】
キャンペーンサーバ５は、受信したカード番号、パスワードを会員ＤＢ９の会員データ１１０で確認して認証し、ポイントＤＢ１１のポイント情報データ１３０から受信したカード番号と一致するカード番号５１のポイント数１３１を読み出し、ネットワーク２５を介して携帯電話１９あるいはユーザ端末２３に送る（ステップ２３１）。
【００５９】
携帯電話１９あるいはユーザ端末２３は、キャンペーンサーバ５から受信したポイント数１３１が応募条件に達していない場合（ステップ２３２）、図２５に示すポイント確認画面２５０を表示する。
ポイント確認画面２５０は、現在ユーザが保持しているポイント数と、応募条件となるポイント数等の情報を表示する。
【００６０】
携帯電話１９あるいはユーザ端末２３は、キャンペーンサーバ５から受信したポイント数１３１が応募条件に達している場合（ステップ２３２）、図２６に示すポイント達成通知画面２６０を表示する。
ポイント達成通知画面２６０は、現在ユーザが保持しているポイント数が応募条件となるポイント数に達したことを表示する。
キャンペーンログイン画面２４０を表示する代わりに、携帯電話１９の端末識別番号を取得することによりカード番号、パスワードでの認証を省略し、ポイント確認画面２５０あるいはポイント達成通知画面２６０を表示するようにしてもよい。
【００６１】
ポイント達成したがキャンペーンに応募しない場合、ユーザはまだ貯めるボタン２６２を選択する。
キャンペーンに応募するため、ユーザが応募ボタン２６１を選択すると（ステップ２３５）、携帯電話１９あるいはユーザ端末２３はキャンペーンサーバ５にキャンペーンへの応募を通知する（ステップ２３６）。
キャンペーンサーバ５は、ユーザのポイント数に応じて、記憶装置８２内のコンテンツデータ９２を携帯電話１９あるいはユーザ端末２３に送る（ステップ２３７）。
ステップ２３５で、ユーザがキャンペーンに応募しないことを選択した場合、現在ポイント画面を表示する（ステップ２３３）。
【００６２】
携帯電話１９あるいはユーザ端末２３は、キャンペーンサーバ２３から受信したコンテンツを用いてゲーム等のアプリケーションを実行する（ステップ２３８）。
コンテンツを用いたアプリケーションは、図２７に示すようなカードめくりのようなゲームでもよいし、あるいは、じゃんけん、絵あわせ、ルーレット、スロット等でもよい。
【００６３】
ゲームの結果が当たりの場合、図２８に示すような当たり画面２８０を表示し、図２９に示す発送先入力画面２９０に進み、ユーザに氏名、郵便番号、住所、電話番号等を入力させる。携帯電話１９あるいはユーザ端末２３は、入力された氏名、郵便番号、住所、電話番号等をキャンペーンサーバ５に送る。キャンペーンサーバ５は、受信した氏名、郵便番号、住所、電話番号を会員ＤＢ９の当選者データ１２０として登録する。
キャンペーンを実施しているメーカーでは、キャンペーン管理端末１５からキャンペーンサーバ５にアクセスして当選者データ１２０を読み出し、当選したユーザに対して景品等を発送する。
【００６４】
このように本実施によれば、運用負荷が低く、ユーザの参加が容易な電子決済利用キャンペーンシステム等を提供することができる。
キャンペーンの対象となる商品への応募シール貼付等の作業が不要となるため、費用も安くなり、また、ユーザへのキャンペーンの告知を行えば、既存の流通商品ですぐにキャンペーンを実施することが可能となる。また、対象となる商品の入れ替えなど、流通における作業が不要となる。
【００６５】
また、重複応募や改ざんしたシリアル番号を使った不正な応募を防止することができる。
ユーザも、一度キャンペーンへの登録処理を行えば、シリアル番号の入力等の手間がなくなり、容易にキャンペーンの参加が可能となるため、キャンペーンへの応募率の向上が期待できる。
キャンペーンへの応募に加え、ユーザに対してアンケートを実施することもできる。
【００６６】
以上、添付図面を参照しながら本発明に係る電子決済利用キャンペーンシステムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００６７】
【図１】電子決済利用キャンペーンシステム１の概要を示す図
【図２】自販機管理サーバ３のハードウエア構成を示す図
【図３】自販機管理サーバ３の記憶装置３２の詳細を示す図
【図４】記憶装置３２の売上情報データ４３の一例を示す図
【図５】記憶装置３２の自動販売機ログデータ４７の一例を示す図
【図６】売上情報ＤＢ７の詳細を示す図
【図７】キャンペーンサーバ５のハードウエア構成を示す図
【図８】キャンペーンサーバ５の記憶装置８２の詳細を示す図
【図９】キャンペーンＤＢ１３の詳細を示す図
【図１０】会員ＤＢ９の詳細を示す図
【図１１】会員データ１１０の一例を示す図
【図１２】当選者データ１２０の一例を示す図
【図１３】ポイントＤＢ１１の詳細を示す図
【図１４】キャンペーンサーバ１５のハードウエア構成を示す図
【図１５】電子決済搭載自動販売機１７のハードウエア構成を示す図
【図１６】電子決済搭載自動販売機１７の記憶装置１５４
【図１７】携帯電話１９のハードウエア構成を示す図
【図１８】携帯電話１９のＩＣチップ１７０のハードウエア構成を示す図
【図１９】電子マネーカード２１のハードウエア構成を示す図
【図２０】メーカーがキャンペーンの応募条件を設定する処理の流れを示すフローチャート
【図２１】ユーザがキャンペーンに登録するときの処理の流れを示すフローチャート
【図２２】キャンペーン登録画面の一例を示す図
【図２３】ユーザがキャンペーンに応募するときの処理の流れを示すフローチャート
【図２４】キャンペーンログイン画面の一例を示す図
【図２５】ポイント確認画面の一例を示す図
【図２６】ポイント達成通知画面の一例を示す図
【図２７】ゲームコンテンツ画面の一例を示す図
【図２８】当たり画面の一例を示す図
【図２９】発送先入力画面の一例を示す図
【符号の説明】
【００６８】
１………電子決済利用キャンペーンシステム
３………自販機管理サーバ
５………キャンペーンサーバ
７………売上情報ＤＢ
９………会員ＤＢ
１１………ポイントＤＢ
１３………キャンペーンＤＢ
１５………キャンペーン管理端末
１７………電子決済搭載自動販売機
１９………携帯電話
２１………電子マネーカード
２３………ユーザ端末
２５………ネットワーク
【図１】
2008262313.tif 000003
【図２】
2008262313.tif 000004
【図３】
2008262313.tif 000005
【図４】
2008262313.tif 000006
【図５】
2008262313.tif 000007
【図６】
2008262313.tif 000008
【図７】
2008262313.tif 000009
【図８】
2008262313.tif 000010
【図９】
2008262313.tif 000011
【図１０】
2008262313.tif 000012
【図１１】
2008262313.tif 000013
【図１２】
2008262313.tif 000014
【図１３】
2008262313.tif 000015
【図１４】
2008262313.tif 000016
【図１５】
2008262313.tif 000017
【図１６】
2008262313.tif 000018
【図１７】
2008262313.tif 000019
【図１８】
2008262313.tif 000020
【図１９】
2008262313.tif 000021
【図２０】
2008262313.tif 000022
【図２１】
2008262313.tif 000023
【図２２】
2008262313.tif 000024
【図２３】
2008262313.tif 000025
【図２４】
2008262313.tif 000026
【図２５】
2008262313.tif 000027
【図２６】
2008262313.tif 000028
【図２７】
2008262313.tif 000029
【図２８】
2008262313.tif 000030
【図２９】
2008262313.tif 000031